(57)【要約】【課題】  一般愛好者にとっては難加工となる部位について予備的に加工処理を施した資材を提供し、もって実使用が可能なルアーの自作を容易にすることができる、新規な釣り用ルアーの自作用資材並びにこれを用いて作製された釣り用ルアーの開発を技術課題とした。【解決手段】  木質のブランク素材２に対し、一対以上のボディ要素２０の取り代が設けられるものであり、且つこのボディ要素２０は、ルアー１の自作にあたっての難加工工程については予め予備処理が施されたものであることを特徴として成るものであり、ユーザは、高度な技術や根気を要することなく、確実に木質素材から成るルアー１の自作を行うことができる。【選択図】図１
2008148668.tif 000002
【特許請求の範囲】
【請求項１】
木質のブランク素材に対し、一対以上のボディ要素の取り代が設けられるものであり、且つこのボディ要素は、ルアーの自作にあたっての難加工工程については予め予備処理が施されたものであることを特徴とする釣り用ルアーの自作用資材。
【請求項２】
前記予備処理はボディ要素の外周形状の切り抜き処理であることを特徴とする請求項１記載の釣り用ルアーの自作用資材。
【請求項３】
前記予備処理は、ラインアイ及びフックアイの収め凹部の削成処理であることを特徴とする請求項１または２記載の釣り用ルアーの自作用資材。
【請求項４】
前記ラインアイ及びフックアイは同一の部品によって構成されるものであり、個々のアイはそれぞれ個別にボディ要素に組み付けられるものであることを特徴とする請求項３記載の釣り用ルアーの自作用資材。
【請求項５】
前記予備処理は、アイの係止端を係止するための係止孔の切り抜き処理または削成処理であることを特徴とする請求項４記載の釣り用ルアーの自作用資材。
【請求項６】
前記予備処理は、錘収容部の切り抜き処理または削成処理であることを特徴とする請求項１、２、３、４または５記載の釣り用ルアーの自作用資材。
【請求項７】
前記ボディ要素は、二以上の枚数のものが組み合わされるものであることを特徴とする請求項１、２、３、４、５または６記載の釣り用ルアーの自作用資材。
【請求項８】
前記ボディ要素が三枚以上である場合には、外周部を構成するボディ要素と、その内側に位置するボディ要素との加工形状が異なっていることを特徴とする請求項７記載の釣り用ルアーの自作用資材。
【請求項９】
前記ボディ要素は、ブランク素材の木目に沿って長手方向が設定され、且つ二以上の枚数のものが平行に配置されることにより、各ボディ要素における木目が揃えられていることを特徴とする請求項７または８記載の釣り用ルアーの自作用資材。
【請求項１０】
前記ブランク素材における切り抜き処理は、切り抜き部を不連続とすることにより、その内側部分をブランク素材に対して保持させるものであることを特徴とする請求項１、２、３、４、５、６、７、８または９記載の釣り用ルアーの自作用資材。
【請求項１１】
前記請求項１、２、３、４、５、６、７、８、９または１０記載の釣り用ルアーの自作用資材を用いて作製されたことを特徴とする釣り用ルアー。
【発明の詳細な説明】
【技術分野】
【０００１】
本発明は釣りの愛好者がルアーを自作するにあたり、その作業をし易くした釣り用ルアーの自作用資材並びにこれを用いて作製された釣り用ルアーに関するものである。
【背景技術】
【０００２】
例えばルアー釣りの愛好者は、趣味が深まるにつれ、釣果が得られ易くするためにルアーの自作にまで趣味を広げてゆく者も少なくない。
このような自作愛好者のため、例えばルアー自作キットと称してその素材が市販されている。しかしながらそれらの多くは図８に示すように、単にボディ１０′の素材となる板状のブランク素材２′と、ボディ１０′のいくつかのパターンが印刷された型紙と、ルアー作製手法を説明した説明書等を同梱した程度のものにすぎなかった。
このようなキットによりルアーを作製する場合の第一工程は、図８（ａ）に示すようにブランク素材２′に対して型紙を用いてボディ１０′の外形線を描き、この外形線に沿って図８（ｂ）に示すように糸鋸等をあててボディ要素２０′を切り出すというものである。
そして次の工程は、図８（ｃ）に示すように前記ボディ要素２０′にアイ収容部２１′及び錘収容部２３′を彫り込むものであり、このこのようなボディ要素２０′を左右対称に一対を作製し、これらを拝み合わせ状態に仮付けした状態で全体にサンドペーパーをあてて削り込み、ボディ１０′を魚独特の流線型に仕上げるものである。そしてその後、錘、アイ１１′を組み込んでボディ要素２０′同士を接着し、更に表面の塗装を行うものである。
このように、上記ルアー自作キットの実質は、愛好者が自分で板状素材を入手して自作に及ぶのと全く変わらず、愛好者にとって作製の支援となるような形態はほとんど採られていなかった（例えば非特許文献１参照）。
【０００３】
特に前記糸鋸による切り出し作業は高度な技術と根気を要するものであり、左右一対のボディ要素２０′の外形の誤差が多少であれば、サンドペーパーでの削り込み作業によって修正することができるものの、初心者の多くはボディ要素２０′の切り出し作業に失敗してしまい、完成を見ないというのが実情である。
また前記錘収容部２３′は彫刻等を用いる等して彫り込まれるものであるが、左右の大きさや深さが異なってしまった場合には錘が所望の個所に位置しなくなり、完成後のルアーの姿勢や挙動が思い通りにならなくなってしまうため実際に使用できない失敗作となってしまうこともあった。
もちろんこれら一連の技術の上達をも含めて趣味として楽しむこともできるが、現実には多くのルアー釣り愛好者は自作への憧れはあったとしても、作業の困難さの故にあきらめてしまい、自作から手を引いてしまうという事例も多くあった。
【０００４】
また多くのキットは、ラインアイやフックアイを形成するための直線状に寸断した金属線を単に同梱したに過ぎず、愛好家は図８（ｃ）に示すように、ルアーのサイズに合わせて金属線を曲げ加工してアイ１１′を形成するのであるが、この作業もある程度の技術と根気が要求されるものであった。
もちろんルアーのサイズや形状に応じて予め曲げ加工したものを同梱することもできるが、部品が多種となるためコスト上昇は免れ得ない。
なおルアーの素材としては、プラスチック等の合成樹脂が用いられることもあり、このような合成樹脂を用いる自作キットも存在するが、木質素材の持つ浮力を活かしたルアーの動きの方がより自然の魚の動きに似ているため、対象魚に対するアピールが優れていると言われている。
【非特許文献１】「ルアー＆ロッド手作り入門」高田弘之著、廣済堂出版、第８９頁参照。
【発明の開示】
【発明が解決しようとする課題】
【０００５】
本発明はこのような背景を考慮してなされたものであって、一般愛好者にとっては難加工となる部位について予備的に加工処理を施した資材を提供し、もって実使用が可能なルアーの自作を容易にすることができる、新規な釣り用ルアーの自作用資材並びにこれを用いて作製された釣り用ルアーの開発を技術課題としたものである。
【課題を解決するための手段】
【０００６】
すなわち請求項１記載の釣り用ルアーの自作用資材は、木質のブランク素材に対し、一対以上のボディ要素の取り代が設けられるものであり、且つこのボディ要素は、ルアーの自作にあたっての難加工工程については予め予備処理が施されたものであることを特徴として成るものである。
この発明によれば、ユーザは、高度な技術や根気を要することなく、確実に木質素材から成るルアーの自作を行うことができる。
【０００７】
また請求項２記載の釣り用ルアーの自作用資材は、前記要件に加え、前記予備処理はボディ要素の外周形状の切り抜き処理であることを特徴として成るものである。
この発明によれば、ユーザは、高度な技術や根気を要することなく、確実にボディを作製することができる。
【０００８】
更にまた請求項３記載の釣り用ルアーの自作用資材は、前記要件に加え、前記予備処理は、ラインアイ及びフックアイの収め凹部の削成処理であることを特徴として成るものである。
この発明によれば、ボディ要素にラインアイ及びフックアイの凹部が予め形成されているため、ラインアイ及びフックアイを設計通りの位置に収めることができ、完成後のルアーの姿勢や挙動を所望のものとすることができる。
【０００９】
更にまた請求項４記載の釣り用ルアーの自作用資材は、前記請求項３記載の要件に加え、前記ラインアイ及びフックアイは同一の部品によって構成されるものであり、個々のアイはそれぞれ個別にボディ要素に組み付けられるものであることを特徴として成るものである。
この発明によれば、種類やサイズの異なるルアーに対して同一の部品を組み付けてアイを形成するようにすることにより、部品の共通化を図り、コストダウンを実現することができる。
【００１０】
更にまた請求項５記載の釣り用ルアーの自作用資材は、前記請求項４記載の要件に加え、前記予備処理は、アイの係止端を係止するための係止孔の切り抜き処理または削成処理であることを特徴として成るものである。
この発明によれば、ラインアイやフックアイの係止端を係止するための係止孔を容易且つ正確に形成することができる。
【００１１】
更にまた請求項６記載の釣り用ルアーの自作用資材は、前記要件に加え、前記予備処理は、錘収容部の切り抜き処理または削成処理であることを特徴として成るものである。
この発明によれば、ボディ要素に予め錘収容部が形成されているため、錘を設計通りの位置に収めることができ、完成後のルアーの姿勢や挙動を所望のものとすることができる。
【００１２】
更にまた請求項７記載の釣り用ルアーの自作用資材は、前記要件に加え、前記ボディ要素は、二以上の枚数のものが組み合わされるものであることを特徴として成るものである。
この発明によれば、初心者であっても、各ボディ要素を全く同じ外形のものとすることができる。
【００１３】
更にまた請求項８記載の釣り用ルアーの自作用資材は、前記請求項７記載の要件に加え、前記ボディ要素が三枚以上である場合には、外周部を構成するボディ要素と、その内側に位置するボディ要素との加工形状が異なっていることを特徴として成るものである。
この発明によれば、内側に位置するボディ要素に対して錘やアイの収容部を形成したり、ボディ要素の素材を異ならせることにより、ルアーを多様なものとすることができる。
【００１４】
更にまた請求項９記載の釣り用ルアーの自作用資材は、前記請求項７または８記載の要件に加え、前記ボディ要素は、ブランク素材の木目に沿って長手方向が設定され、且つ二以上の枚数のものが平行に配置されることにより、各ボディ要素における木目が揃えられていることを特徴として成るものである。
この発明によれば、ボディ要素を貼り合わせて構成されるボディの木目が揃うため見た目が美しいばかりでなく、木材の粗密が揃うため完成後のルアーの姿勢や挙動を安定させることができる。
【００１５】
更にまた請求項１０記載の釣り用ルアーの自作用資材は、前記要件に加え、前記ブランク素材における切り抜き処理は、切り抜き部を不連続とすることにより、その内側部分をブランク素材に対して保持させるものであることを特徴として成るものである。
この発明によれば、流通時に被切り抜き個所がブランク素材から脱落してしまうのを防ぐことができ、自作用資材の梱包作業を効率的に行うことができる。更にユーザは、ボディ要素を形成する際に、多少なりとも手作り感を味わうことができる。
【００１６】
更にまた請求項１１記載の釣り用ルアーは、前記請求項１、２、３、４、５、６、７、８、９または１０記載の釣り用ルアーの自作用資材を用いて作製されたことを特徴として成るものである。
この発明によれば、初心者であっても、複数のルアーを、同一形状であり、且つラインアイ、フックアイ及び錘の位置が全く同じものとして作製することができる。そしてそれらの塗装を異ならせることにより、大手メーカーから市販されているカラーバリエーションの異なる同一シリーズ物のような展開を楽しむことができる。
そしてこれら各請求項記載の発明の構成を手段として前記課題の解決が図られる。
【発明の効果】
【００１７】
本発明によれば、一般愛好者にとっては難加工となる部位について予備的に加工処理を施した資材を提供し、もって実使用が可能なルアーの自作による完成を支援することができる。
【発明を実施するための最良の形態】
【００１８】
以下、本発明を実施するための最良の形態について図示の実施例に基づいて説明する。
なお以下の実施例に対して本発明の技術的思想の範囲内において適宜変更を加えることも可能である。
【実施例】
【００１９】
本発明の釣り用ルアー１（以下ルアー１と呼ぶ。）は、図４（ｂ）に示すように、小魚を模した流線型のボディ１０に対し、ラインを結び付けるためのラインアイ１１と、フックアイ１２と、錘１３とリップ１４とを組み付けるとともに、前記フックアイ１２に対してスプリットリング１５を用いてフック１６を取り付けて成るものである。
なおこの実施例では、前記ラインアイ１１及びフックアイ１２は、図３に示すように線材の中央をループ状とするとともに、両端部分を外側に直角に張り出すように曲げ加工して係止端１１ａ、１２ａとして形成された同一の部品によって構成されるものとし、個々のアイはそれぞれ個別にボディ要素２０に組み付けられるようにした。
またこのようなルアー１は、本発明の「釣り用ルアーの自作用資材」を用いて作製されるものであり、以下、「釣り用ルアーの自作用資材」について説明をするとともに、この資材を用いたルアー１の製作過程について説明する。
【００２０】
本発明の「釣り用ルアーの自作用資材」は図２に示すように、厚さ数ｍｍ程度のバルサ材等、木質の板材をブランク素材２としたものであり、このブランク素材２に対し、一対以上のボディ要素２０の切抜線２０ａが設けられて成るものである。
なお前記バルサ材は、非常に浮力に富み、また油脂成分が少なく塗装や接着剤をはじきにくく、更に比較的、安価で入手できる等の理由により、最も多用されている素材である。
【００２１】
また前記ボディ要素２０は、二以上の枚数のものが組み合わされるものであり、この実施例では図２、３に示すように、ボディ要素２０Ａ、２０Ｂ、２０Ｃ、２０Ｄの四枚構成を採るようにした。なお図２（ａ）はボディ要素２０Ａ、２０Ｂの内側面が示された図であり、図２（ｂ）はボディ要素２０Ａ、２０Ｂの外側面が示された図である。
更にこのように前記ボディ要素２０が三枚以上の構成である場合には、ボディ１０の外周部を構成するボディ要素２０Ｃ、２０Ｄと、その内側に位置するボディ要素２０Ａ、２０Ｂとの加工形状が異なるようにする。
また前記複数のボディ要素２０は、ブランク素材２の木目に沿って長手方向が設定され、且つ二以上の枚数のものが平行に配置されることにより、各ボディ要素２０における木目が揃えられることとなる。
【００２２】
ここで前記切抜線２０ａは、ブランク素材２からボディ要素２０を切り出す作業を容易にするための構造であり、ボディ要素２０の外周形状の切り抜き処理が施されたものである。具体的には図２（ａ）に拡大して示す断面図のように、ボディ要素２０の外周形状を、レーザー加工機を用いて０．１ｍｍ程度の幅でブランク素材２の表裏に亘って焼き切ることにより切抜線２０ａが形成されるものである。
なお図２（ｂ）に拡大して示す平面図のように、ボディ要素２０の外周形状を全域に亘って切り抜くことなく、一部を連結部２０ｂとして残すことにより、ボディ要素２０ａをブランク素材２に対して保持させた状態とすることができる。
またブランク素材２０がバルサ材のように比較的軟質な素材である場合には、前記切抜線２０ａを図２（ｃ）に拡大して示すように、ブランク素材２の厚さの半分程度あるいはそれ以上にまで切り込まれた状態として形成してもよい。
【００２３】
また前記ボディ要素２０には、ルアー１の自作にあたっての難加工工程について予め予備処理が施されるものであり、ボディ要素２０Ａ、２０Ｂに対してこのような予備処理を施すことにより、これらとボディ要素２０Ｃ、２０Ｄとの加工形状が異なったものとなる。
前記予備処理の一例は、ラインアイ１１及びフックアイ１２の収め凹部の削成処理であり、図２（ａ）及び図３に示すように、レーザー加工機を用いてブランク素材２の表面を２ｍｍ程度の幅、０．５ｍｍ程度の深さで焼き切ることによりラインアイ収容部２１及びフックアイ収容部２２が削成されるものである。なお図２に示した実施例では、ブランク素材２に対してラインアイ１１及びフックアイ１２のループ部分を描画してあるが、これについては必ずしも必要ではない。
また前記予備処理の一例は、前記ラインアイ１１及びフックアイ１２の係止端１１ａ、１２ａを係止するための係止孔２４の切り抜き処理であり、レーザー加工機を用いて直径１ｍｍ程度の円形状あるいは楕円形状等に、ブランク素材２の表裏に亘って焼き切ることにより切抜線２４ａを形成し、その内側部分を除去することにより係止孔２４が形成されるものである。
なお前記ボディ要素２０における切抜線２０ａの連結部２０ｂと同様に、図２（ｂ）に拡大して示すように切抜線２４ａに連結部２４ｂを設けるようにしてもよい。
またブランク素材２の表面を、係止端１１ａ、１２ａが収まる程度の深さにまで焼き切ることにより係止孔２４を非貫通状態に削成するようにしてもよい。
【００２４】
更にまた前記予備処理の一例は、錘収容部２３の切り抜き処理または削成処理であり、レーザー加工機を用いて直径８ｍｍ程度の円形状等に、ブランク素材２の表裏に亘って焼き切ることにより切抜線２３ａを形成し、その内側部分を除去することにより錘収容部２３が形成されるものである。
なお前記ボディ要素２０における切抜線２０ａの連結部２０ｂと同様に、図２（ａ）に拡大して示すように切抜線２３ａに連結部２３ｂを設けるようにしてもよい。
またブランク素材２の表面を、錘２３が収まる程度の深さにまで焼き切ることにより係止孔２４を非貫通状態に削成するようにしてもよい。
【００２５】
本発明の「釣り用ルアーの自作用資材」は一例として上述したように構成されるものであり、以下、この資材を用いたルアー１の製作過程（図１参照。）について説明する。
【００２６】
（１）ボディ要素の切り出し
初めにブランク素材２からボディ要素２０を切り抜くものであり、ブランク素材２の外形部分を保持した状態で、親指等によりボディ要素２０部を押し込むことにより、連結部２０ｂを切断してボディ要素２０を切り抜く。
なお図２（ｃ）に拡大して示したように、切抜線２０ａをブランク素材２の厚さの半分程度あるいはそれ以上にまで切り込まれた状態とした場合には、バルサ材等の軟質な素材であれば指で打抜くことができ、硬い素材であっても、カッターナイフを用いて正確且つ容易に切り出すことができる。
【００２７】
（２）不要部分の除去
次いで図３（ａ）に示すように、錘収容部２３の切抜線２３ａ及び係止孔２４の切抜線２４ａの内側部分をドライバーやピンセットなどを用いて押し込むことにより、連結部２３ｂ、２４ｂを切断して不要部分を切り抜き、これらを除去する。
【００２８】
（３）魚体フォルムの削り出し
次いで図３（ｂ）に示すように、両面テープを用いる等してボディ要素２０Ａとボディ要素２０Ｂとを拝み合わせ状態に仮付けし、更にこれらの外側にボディ要素２０Ｃ、ボディ要素２０Ｄを仮付けする。
そしてこのようにして一体化されたボディ要素２０を大まかにナイフで削り、その後全体にサンドペーパーをあてて削り込みを行い、図４（ｂ）に示すように魚独特の流線型に仕上げられたボディ１０を形成する。因みにこのようなボディ１０の削り出し作業は、初心者であっても失敗することなく行うことができる程の容易な作業である。
【００２９】
（４）諸部材の組み付け
次いでボディ要素２０の仮付けをいったん解除するとともに、図３（ａ）に示すように諸部材の組み付けを行うものであり、ボディ要素２０Ａにおける係止孔２４に係止端１１ａを挿入することにより、ラインアイ収容部２１内にラインアイ１１を位置させ、同様にフックアイ収容部２２内にフックアイ１２を位置させる。
次いでボディ要素２０Ａとボディ要素２０Ｂとを拝み合わせ状態で接着し、更にボディ要素２０Ａの外側にボディ要素２０Ｃを接着し、この状態で錘収容部２３内に錘１３を位置させ、ボディ要素２０Ｂの外側にボディ要素２０Ｄを接着する。
そしてボディ要素２０の頭部付近に形成されたリップ嵌合部２５にリップ１４を嵌め込んで接着し、適宜ウレタン樹脂系、エポキシ樹脂系の塗料等で防水処理並びに着色を施し、更にセルロースセメントでコーティングする。
その後、塗料が乾燥したらスプリットリング１５を用いてフック１６を取り付けて図４（ｂ）に示すようにルアー１が完成するものである。
【００３０】
そして上述したようにして作製されたルアー１は、ボディ要素２０にラインアイ１１及びフックアイ１２の収め凹部であるラインアイ収容部２１、フックアイ収容部２２が予め形成されているため、ラインアイ１１及びフックアイ１２を設計通りの位置に収めることができ、完成後のルアー１の姿勢や挙動が所望のものとなる。
また種類やサイズの異なるルアー１に対して同一の部品を組み付けてラインアイ１１及びフックアイ１２を形成するようにすることにより、部品の共通化を図り、コストダウンを実現することができる。
更にまたボディ要素２０に予め錘収容部２３が形成されているため、錘１３を設計通りの位置に収めることができ、完成後のルアー１の姿勢や挙動を所望のものとすることができる。
更にまた初心者であっても、各ボディ要素２０Ａ、２０Ｂ、２０Ｃ、２０Ｄを全く同じ外形のものとして得ることができるため、所望形状のボディ１０を容易に形成することができる。
更にまたボディ要素２０Ａ、２０Ｂ、２０Ｃ、２０Ｄを貼り合わせて構成されるボディ１０の木目が揃うため見た目が美しいばかりでなく、木材の粗密が揃うため完成後のルアー１の姿勢や挙動を安定させることができる。
更にまた流通時に被切り抜き個所がブランク素材２から脱落してしまうのを防ぐことができ、自作用資材の梱包作業を効率的に行うことができる。更にユーザは、ボディ要素２０を形成する際に、多少なりとも手作り感を味わうことができる。
更にまた、初心者であっても、複数のルアー１を、同一形状であり、且つラインアイ１１、フックアイ１２及び錘１３の位置が全く同じものとして作製することができ、それらの塗装を異ならせることにより、大手メーカーから市販されているカラーバリエーションの異なる同一シリーズ物のような展開を楽しむことができる。
【００３１】
〔他の実施例〕
本発明は上述した実施例を基本となる実施例とするものであるが、本発明の技術的思想に基づいて以下に示す実施例を採ることもできる。
まず上述した基本となる実施例ではボディ要素２０を四枚構成としたが、二枚構成、三枚構成あるいは五枚以上の構成とすることもできる。
なお図５に示すのはボディ要素２０を三枚構成としたものであり、更に中心に位置するボディ要素２０Ａを、アガチス、ジェラトン、檜、ホオノキ等、比較的硬質な木材によって形成することにより、ヒートン１７を用いてラインアイ１１及びフックアイ１２を構成するようにしたものである。因みに三枚とも比較的硬質な木材によって形成することもあるが、硬質な素材は浮力が低下してルアー１の動きが鈍ってしまう傾向にあるため、中心に位置するボディ要素２０Ａのみを硬質な素材によって形成し、その両側に位置するボディ要素２０Ｂ、２０Ｃをバルサ材や桐材によって形成することにより浮力を確保し、ルアー１の動きを魚の動きに近い自然なものとすることが可能となる。
【００３２】
またラインアイ１１やフックアイ１２の形態として図６に示したようなものを採用することができるものであり、このものは線材を８の字状に曲げて二箇所にループが形成されたものであり、一方のループに対してピン１８を挿通状態とし、このピン１８の両端を係止孔２４に差し込むようにしたものである。
【００３３】
また基本となる実施例では、ボディ要素２０を切り抜いた後のブランク素材２は格別使い道がなかったが、このブランク素材２を有効活用するようにしてもよい。具体的には一例として図７（ａ）に示したような、ボディ１０の数ヶ所の断面形状を、図７（ｂ）に示すようにブランク素材２の外周部分に上下半分ずつゲージ２６として形成するものである。そしてサンドペーパーを用いたボディ１０の削り出し作業の際に、ボディ１０の各所をそれぞれ対応したゲージ２６にあてて曲線状態をチェックすることにより、ボディ１０を所定形状のものとして形成することが可能となる。
【図面の簡単な説明】
【００３４】
【図１】本発明の釣り用ルアーの自作用資材を用いて釣り用ルアーを作製する工程を示す工程図である。
【図２】本発明の釣り用ルアーの自作用資材であるブランク素材を示す平面図である。
【図３】本発明のルアーの組み立ての様子を示す斜視図である。
【図４】ボディ要素を張り合わせた後に紙やすりによって成形した状態のボディを示す斜視図並びにこのボディに塗装を施すと共に残りの部材を組み付けて完成させられたルアーを示す斜視図であるである。
【図５】ボディ要素を三枚構成としたルアーの組み立ての様子を示す斜視図である。
【図６】ラインアイの構成を異ならせた実施例を示す斜視図である。
【図７】ボディの側面図及び断面形状並びに断面形状を確認するためのゲージをブランク素材に形成した実施例を示す平面図である。
【図８】従来のルアー製作の様子を示す斜視図並びに平面図である。
【符号の説明】
【００３５】
１        ルアー
１０      ボディ
１０Ａ    断面
１０Ｂ    断面
１０Ｃ    断面
１０Ｄ    断面
１１      ラインアイ
１１ａ    係止端
１２      フックアイ
１２ａ    係止端
１３      錘
１４      リップ
１５      スプリットリング
１６      フック
１７      ヒートン
１８      ピン
２        ブランク素材
２Ａ      ブランク素材
２Ｂ      ブランク素材
２０      ボディ要素
２０Ａ    ボディ要素
２０Ｂ    ボディ要素
２０Ｃ    ボディ要素
２０Ｄ    ボディ要素
２０ａ    切抜線
２０ｂ    連結部
２１      ラインアイ収容部（収め凹部）
２２      フックアイ収容部（収め凹部）
２３      錘収容部
２３ａ    切抜線
２３ｂ    連結部
２４      係止孔
２４ａ    切抜線
２４ｂ    連結部
２５      リップ嵌合部
２６      ゲージ
２６Ａ    ゲージ
２６Ｂ    ゲージ
２６Ｃ    ゲージ
２６Ｄ    ゲージ
【図１】
2008148668.tif 000003
【図２】
2008148668.tif 000004
【図３】
2008148668.tif 000005
【図４】
2008148668.tif 000006
【図５】
2008148668.tif 000007
【図６】
2008148668.tif 000008
【図７】
2008148668.tif 000009
【図８】
2008148668.tif 000010